(57)【要約】【課題】番組のジャンルに対して、各ユーザの好みに応じた画質設定が可能な表示装置を提供する。【解決手段】本発明に係る表示装置１０は、自装置を利用しているユーザを特定するユーザ特定部１３０と、表示部２３が表示すべき映像のジャンル情報を取得するジャンル取得部１４０と、ユーザ特定部１３０が特定したユーザと、ジャンル取得部１４０が取得したジャンル情報とに対応する設定値を、記録部２１から取得し、取得した設定値で画質を調整するように画質調整部２２に指示する画質調整指示部１５０とを備えている。【選択図】図１
2011166314.tif 000002
【特許請求の範囲】
【請求項１】
映像を表示する表示部を備える表示装置であって、
上記映像の画質を調整し、調整された映像を上記表示部に表示する画質調整部と、
上記映像のジャンルを示すジャンル情報と、上記画質調整部が上記画質を調整するための設定値との対応情報を、ユーザ毎に予め記録する記録部と、
自装置を利用しているユーザを特定するユーザ特定手段と、
上記表示部が表示すべき映像の上記ジャンル情報を取得するジャンル取得手段と、
上記ユーザ特定手段が特定したユーザと、上記ジャンル取得手段が取得したジャンル情報とに対応する上記設定値を、上記記録部の対応情報から取得し、取得した設定値で上記画質を調整するように上記画質調整部に指示する調整指示手段とを備えていることを特徴とする表示装置。
【請求項２】
上記ユーザから情報の入力を受け付ける受付部と、
上記ユーザから上記受付部を介しての指示により、上記対応情報の作成及び更新を行って、上記記録部に記録する設定手段とを備えることを特徴とする請求項１に記載の表示装置。
【請求項３】
上記記録部は、或るジャンルの映像であって、異なる上記設定値で上記画質がそれぞれ調整された複数の調整済映像を、上記ジャンル情報および上記設定値と対応付けて上記記録部に記録しており、
上記設定手段は、上記記録部に記録された上記複数の調整済映像を表示するように上記表示部を制御し、上記ユーザから上記受付部を介しての指示に基づき、上記複数の調整済映像の中から選択し、選択した上記調整済映像に対応する上記ジャンル情報および上記設定値を、上記ユーザ特定手段が特定したユーザの対応情報として上記記録部に記録することを特徴とする請求項２に記載の表示装置。
【請求項４】
通信ネットワークを介して外部の通信装置と通信するための通信部をさらに備えており、
上記設定手段は、上記外部の通信装置から上記通信部を介して取得した対応情報を利用して、上記対応情報の作成及び更新を行うことを特徴とする請求項２又は３に記載の表示装置。
【請求項５】
上記記録部は、優先度をユーザ毎に記録しており、
上記調整指示手段は、上記ユーザ特定手段が特定したユーザが複数である場合、該複数のユーザのうち、上記優先度の高いユーザと、上記ジャンル取得手段が取得したジャンル情報とに対応する上記設定値で上記画質を調整するように上記画質調整部を指示することを特徴とする請求項１から４までの何れか１項に記載の表示装置。
【請求項６】
上記調整指示手段は、上記ユーザ特定手段が特定したユーザが複数である場合、該複数のユーザと、上記ジャンル取得手段が取得したジャンル情報とに対応する複数の上記設定値を、上記記録部の対応情報から取得し、取得した複数の設定値の最頻値で上記画質を調整するように上記画質調整部を指示することを特徴とする請求項１から５までの何れか１項に記載の表示装置。
【請求項７】
上記調整指示手段は、上記ユーザ特定手段が特定したユーザが複数である場合、該複数のユーザと、上記ジャンル取得手段が取得したジャンル情報とに対応する複数の上記設定値を、上記記録部の対応情報から取得し、取得した複数の設定値の平均値で上記画質を調整するように上記画質調整部を指示することを特徴とする請求項１から４までの何れか１項に記載の表示装置。
【請求項８】
上記記録部は、ユーザを特徴付ける特徴情報をユーザ毎に記録しており、
自装置を利用しているユーザの上記特徴情報を取得する特徴取得手段をさらに備えており、
上記ユーザ特定手段は、上記特徴取得手段が取得した特徴情報と、上記記録部に記録された特徴情報とを照合することにより、自装置を利用しているユーザを特定することを特徴とする請求項１から７までの何れか１項に記載の表示装置。
【請求項９】
映像を表示する表示部と、上記映像の画質を調整し、調整された映像を上記表示部に表示する画質調整部とを備える表示装置の制御方法であって、
自装置を利用しているユーザを特定するユーザ特定ステップと、
上記表示部が表示すべき映像のジャンルを示すジャンル情報を取得するジャンル取得ステップと、
上記ジャンル情報と、上記画質調整部が上記画質を調整するための設定値との対応情報がユーザ毎に記録された記録部を参照して、上記ユーザ特定ステップにて特定されたユーザと、上記ジャンル取得ステップにて取得されたジャンル情報とに対応する上記設定値を取得し、取得された設定値で上記画質を調整するように上記画質調整部に指示する調整指示ステップと、
を含むことを特徴とする表示装置の制御方法。
【請求項１０】
請求項１から８までの何れか１項に記載の表示装置を動作させるためのプログラムであって、コンピュータを上記の各手段として機能させるためのプログラム。
【請求項１１】
請求項１０に記載のプログラムを記録したコンピュータ読み取り可能な記録媒体。
【発明の詳細な説明】
【技術分野】
【０００１】
本発明は、映像を表示する表示部を備える表示装置及びその制御方法に関し、具体的には、ユーザによる画質の調整に関する。
【背景技術】
【０００２】
番組の再生時にユーザの好み等に応じて、画質を調整する技術として例えば特許文献１〜３が報告されている。
【０００３】
特許文献１には、画質パラメータの異なる複数のサンプル画像を提示して、ユーザに所望のサンプル画像を選択させることで、画質パラメータを決定する画像表示装置が記載されている。
【０００４】
特許文献２には画質が異なるサンプル動画像をユーザに選択させて画質を決定するテレビジョン受像機が記載されている。
【０００５】
特許文献３には現在テレビ放送されている番組に対するトピック及びテーマ情報のような特性を判定し、オーディオ及びビデオ設定値のようなデータを、記憶ユニットに格納されている予め定義された最適受像機特性の表に適合させるシステムが記載されている。
【０００６】
また、非特許文献１には、室内の明るさや照明の色に応じて、最適な画質を表示するように、画質を自動で調整するテレビが記載されている。
【先行技術文献】
【特許文献】
【０００７】
【特許文献１】特開２００７−１４７８２８号公報（２００７年６月１４日公開）
【特許文献２】特開２００１−１１９６４４号公報（２００１年４月２７日公開）
【特許文献３】特表２００１−５１５６７５号公報（２００１年９月１８日公表）
【非特許文献】
【０００８】
“おまかせドンピシャ高画質”［online］、東芝、（２０１０年１月１８日検索）、インターネット<http://www.toshiba.co.jp/regza/detail/omakase/about.html>
【発明の概要】
【発明が解決しようとする課題】
【０００９】
ところで、ユーザの画質への好みは視る番組のジャンル等で異なる場合が多い。例えば、映画番組は一般的な設定で満足しても、スポーツ番組を視る場合は一般的な設定より鮮やかな設定を好む場合がある。一方、ビデオモードの番組については一般設定より穏やかな画調を好み、他のジャンルの番組については鮮明な映像を好む場合がある。
【００１０】
また、１台のテレビを使用するユーザが１人であるとは限られない。例えば、父、母、子供など、複数のユーザがそれぞれ違った画質設定を好む場合がある。したがって、１人のユーザが好みの画質設定を行った場合、他のユーザが番組を視る際に、好みの設定とは異なるため、不満を感じる場合があった。
【００１１】
本発明は、上記の課題を解決するためになされたものであり、その主たる目的は、番組のジャンルに対して、ユーザの好みに応じた画質設定が可能な表示装置などを提供することにある。
【課題を解決するための手段】
【００１２】
本発明に係る表示装置は、上記課題を解決するために、映像を表示する表示部を備える表示装置であって、上記映像の画質を調整し、調整された映像を上記表示部に表示する画質調整部と、上記映像のジャンルを示すジャンル情報と、上記画質調整部が上記画質を調整するための設定値との対応情報を、ユーザ毎に予め記録する記録部と、自装置を利用しているユーザを特定するユーザ特定手段と、上記表示部が表示すべき映像の上記ジャンル情報を取得するジャンル取得手段と、上記ユーザ特定手段が特定したユーザと、上記ジャンル取得手段が取得したジャンル情報とに対応する上記設定値を、上記記録部の対応情報から取得し、取得した設定値で上記画質を調整するように上記画質調整部に指示する調整指示手段とを備えていることを特徴としている。
【００１３】
また、本発明に係る表示装置の制御方法は、上記課題を解決するために、映像を表示する表示部と、上記映像の画質を調整し、調整された映像を上記表示部に表示する画質調整部とを備える表示装置の制御方法であって、自装置を利用しているユーザを特定するユーザ特定ステップと、上記表示部が表示すべき映像のジャンルを示すジャンル情報を取得するジャンル取得ステップと、上記ジャンル情報と、上記画質調整部が上記画質を調整するための設定値との対応情報がユーザ毎に記録された記録部を参照して、上記ユーザ特定ステップにて特定されたユーザと、上記ジャンル取得ステップにて取得されたジャンル情報とに対応する上記設定値を取得し、取得された設定値で上記画質を調整するように上記画質調整部に指示する調整指示ステップとを含むことを特徴としている。
【００１４】
上記の構成および方法によれば、自装置を利用しているユーザが特定され、表示されるべき映像のジャンル情報が取得され、特定されたユーザと、取得されたジャンル情報とに対応する設定値が、記録部の対応情報から取得され、取得された設定値で画質調整部が上記映像の画質を調整する。従って、自装置を利用しているユーザの好みに合った画質で映像を表示することができる。
【００１５】
本発明に係る表示装置では、上記ユーザから情報の入力を受け付ける受付部と、上記ユーザから上記受付部を介しての指示により、上記対応情報の作成及び更新を行って、上記記録部に記録する設定手段とを備えることが好ましい。
【００１６】
この場合、各ユーザは、上記表示装置にて上記ジャンル情報に応じた画質を設定することができる。なお、上記表示装置の外部装置に上記設定手段を設け、該外部装置にて作成された上記対応情報を、上記外部装置から上記表示装置に通信ネットワーク、着脱可能な記録媒体などを介して送ることもできる。この場合、上記表示装置に上記設定手段を設ける必要が無い。
【００１７】
本発明に係る表示装置では、上記記録部は、或るジャンルの映像であって、異なる上記設定値で上記画質がそれぞれ調整された複数の調整済映像を、上記ジャンル情報および上記設定値と対応付けて上記記録部に記録しており、上記設定手段は、上記記録部に記録された上記複数の調整済映像を表示するように上記表示部を制御し、上記ユーザから上記受付部を介しての指示に基づき、上記複数の調整済映像の中から選択し、選択した上記調整済映像に対応する上記ジャンル情報および上記設定値を、上記ユーザ特定手段が特定したユーザの対応情報として上記記録部に記録してもよい。
【００１８】
この場合、ユーザが上記複数の調整済映像の中から選択するのみで、上記対応情報が記録されるので、画質の設定操作に詳しくないユーザでも、好みの画質の設定を簡単に行うことができる。
【００１９】
本発明に係る表示装置では、通信ネットワークを介して外部の通信装置と通信するための通信部をさらに備えており、上記設定手段は、上記外部の通信装置から上記通信部を介して取得した対応情報を利用して、上記対応情報の作成及び更新を行ってもよい。
【００２０】
この場合、別の表示装置のユーザが作成した対応情報を参考にして、上記対応情報の作成及び更新を行うことができ、ユーザの利便性が向上する。
【００２１】
なお、表示装置を利用しているユーザが複数である場合、上記調整指示手段は、上記記憶部から異なる設定値を取得する可能性がある。
【００２２】
このような場合、上記記録部は、優先度をユーザ毎に記録しており、上記調整指示手段は、該複数のユーザのうち、上記優先度の高いユーザと、上記ジャンル取得手段が取得したジャンル情報とに対応する上記設定値で上記画質を調整するように上記画質調整部を指示すればよい。この場合、上記優先度の高いユーザの設定値で画質が調整されることになる。
【００２３】
また、上記調整指示手段は、上記複数のユーザと、上記ジャンル取得手段が取得したジャンル情報とに対応する複数の上記設定値を、上記記録部の対応情報から取得し、取得した複数の設定値の最頻値で上記画質を調整するように上記画質調整部を指示すればよい。この場合、多数のユーザが採用する設定値、すなわち、ユーザに人気のある設定値で画質が調整されることになる。
【００２４】
或いは、上記調整指示手段は、上記複数のユーザと、上記ジャンル取得手段が取得したジャンル情報とに対応する複数の上記設定値を、上記記録部の対応情報から取得し、取得した複数の設定値の平均値で上記画質を調整するように上記画質調整部を指示すればよい。この場合、上記複数のユーザの設定値が反映された設定値で画質が調整されることになる。
【００２５】
なお、ユーザの特定は、個人認証により行われてもよい。例えば、上記記録部は、ユーザを特徴付ける特徴情報をユーザ毎に記録しており、自装置を利用しているユーザの上記特徴情報を取得する特徴取得手段をさらに備えており、上記ユーザ特定手段は、上記特徴取得手段が取得した特徴情報と、上記記録部に記録された特徴情報とを照合することにより、自装置を利用しているユーザを特定することが挙げられる。ここで、特徴情報としては、顔画像の特徴点を示す情報、指紋の情報などが挙げられる。
【００２６】
なお、本発明に係る上記表示装置は、コンピュータによって実現してもよい。この場合、コンピュータを上記表示装置として動作させることにより、上記表示装置をコンピュータにおいて実現するプログラム、および、そのプログラムを記録したコンピュータ読み取り可能な記録媒体も、本発明の範疇に含まれる。
【発明の効果】
【００２７】
以上のように、本発明に係る表示装置は、自装置を利用しているユーザが特定され、表示されるべき映像のジャンル情報が取得され、特定されたユーザと、取得されたジャンル情報とに対応する設定値が、記録部の対応情報から取得され、取得された設定値で画質調整部が上記映像の画質を調整するので、自装置を利用しているユーザの好みに合った画質で映像を表示できるという効果を奏する。
【図面の簡単な説明】
【００２８】
【図１】本発明の実施形態１に係る表示装置が備える主制御部の構成を示す図である。
【図２】上記表示装置の主制御部における、画質及びユーザの設定に関する処理の流れを示すフローチャートである。
【図３】上記表示装置の表示部に表示されるユーザ登録画面の一例を示す図である。
【図４】上記表示装置の記録部に記録された対応テーブルの一例を示す図である。
【図５】上記表示装置の記録部に記録された対応テーブルの他の例を示す図である。
【図６】上記主制御部における、ユーザ特定に関する処理の流れを示すフローチャートである。
【図７】かんたん設定において、各ユーザがジャンル毎に選択したサンプル画像の画像情報を平均した値の一例を示す図である。
【図８】かんたん設定において、各ユーザがジャンル毎に選択したサンプル画像のうち、最も多く選択されているサンプル画像の一例を示した図である。
【図９】プロ設定において、各ユーザがジャンル毎に設定した画質調整値のうち、ジャンル情報がスポーツの画質調整値を平均した値の一例を示す図である。
【図１０】プロ設定において、各ユーザがスポーツに設定した画質調整値のうち、最も多く設定されている設定値の一例を示す図である。
【図１１】本発明の実施形態２に係る表示装置が備える主制御部の構成を示す図である。
【図１２】上記表示装置が備える主制御部における、ユーザ特定に関する処理の流れを示すフローチャートである。
【図１３】本発明の実施形態３に係る表示装置が備える主制御部の構成を示す図である。
【図１４】上記表示装置が備える主制御部における、ユーザ特定に関する処理の流れを示すフローチャートである。
【図１５】本発明の実施形態４に係る表示装置が備える主制御部の構成を示す図である。
【図１６】上記表示装置が備える主制御部における、画質調整値の反映に関する処理の流れを示すフローチャートである。
【発明を実施するための形態】
【００２９】
＜実施形態１＞
本発明に係る一実施形態について、図１から図１０に基づいて説明すれば、以下の通りである。
【００３０】
〔表示装置の構成〕
まず、本実施形態に係る表示装置１０の構成、及び、表示装置１０が備える主制御部１００の構成について、図１を参照して以下に説明する。図１は、本実施形態に係る表示装置１０が備える主制御部１００の構成を示す図である。
【００３１】
図１に示すように、表示装置１０は、リモコン受光部２０（受付部）、記録部２１、画質調整部２２（画質調整手段）、表示部２３、及び、主制御部１００を備えている。また、主制御部１００は、指示取得部１１０、画質設定部１２０（画質設定手段）、ユーザ特定部１３０（ユーザ特定手段）、ジャンル取得部１４０（ジャンル取得手段）、及び、画質調整指示部１５０（調整指示手段）を備えている。また、表示装置１０は、リモートコントローラ（リモコン）３０からのリモコン信号を受信可能に構成されている。
【００３２】
リモコン受光部２０は、リモコン３０からのリモコン信号を、赤外線等の光で受信する。リモコン受光部２０は、受信したリモコン信号を、主制御部１００に通知する。
【００３３】
記録部２１は、各種データおよびプログラムを記憶するものである。記録部２１の例としては、主制御部１００が動作するときに必要なプログラム等の固定データを記憶する読出し専用の半導体メモリであるＲＯＭ（Read Only Memory）と、演算に使用するデータ及び演算結果等を一時的に記憶するいわゆるワーキングメモリとしてのＲＡＭ（Random Access Memory）とが挙げられる。また、記録部２１は、画質調整値、及び、ユーザ情報を記憶する。ここで、画質調整値とは、映像のジャンル毎に画質を調整するための設定値であり、ユーザ情報とは、例えば、画質調整値を設定したユーザの識別情報など、ユーザに関する情報である。
【００３４】
画質調整部２２は、デジタル及びアナログ放送コンテンツ、ＤＶＤ、ＢＤ、及びＨＤＤなどに記録されているコンテンツ、ネットワークを介して取得したコンテンツなどの映像信号を表示部２３に供給する。また、画質調整部２２は、主制御部１００から取得した画質調整値に基づいて映像信号の画質を調整し、調整した調整済映像信号を表示部２３に供給する。
【００３５】
表示部２３は、画質調整部２２からの映像信号に基づいて映像を表示する。具体的には、表示部２３は、ＬＣＤ、ＥＬ（Electroluminescence）ディスプレイ、ＰＤＰ（Plasma Display Panel）などの表示素子と、受信した映像信号に基づいて表示素子を駆動するドライバ回路とを備える構成である。なお、映像には、絵や図形の他、文字も含まれ、また、静止画および動画も含まれる。
【００３６】
主制御部１００は、表示装置１０内の各種構成を統括的に制御するものである。主制御部１００の機能は、例えばＲＡＭやフラッシュメモリなどの記憶装置に記憶されたプログラムをＣＰＵ（Central Processing Unit）が実行することによって実現される。主制御部１００が備える指示取得部１１０、画質設定部１２０、ユーザ特定部１３０、ジャンル取得部１４０、及び、画質調整指示部１５０について、以下に説明する。
【００３７】
指示取得部１１０は、リモコン３０の操作によるユーザからの指示（リモコン信号）を、リモコン受光部２０から取得する。指示取得部１１０は、取得したリモコン信号に応じて、画質設定部１２０、ユーザ特定部１３０、及び、画質調整指示部１５０に通知する。具体的には、指示取得部１１０は、取得したリモコン信号が画質調整値の設定に関する信号である場合、画質設定部１２０にリモコン信号を通知し、ユーザ登録に関する信号である場合、画質設定部１２０にリモコン信号を通知し、ユーザの特定に関する信号である場合、ユーザ特定部１３０にリモコン信号を通知する。画質調製値の設定に関する信号、ユーザ登録に関する信号、及び、ユーザの特定に関する信号としては、例えば、画質調整値を設定する画面（画質設定画面）を表示する旨の信号（設定画面表示指示）、ユーザ名の登録を行う旨の信号（ユーザ名登録指示）、及び、登録されているユーザのうち、どのユーザであるかを選択する（ユーザ選択操作）旨の信号（ユーザ選択指示）などを、それぞれ挙げることができる。
【００３８】
画質設定部１２０は、映像のジャンルに応じて、画質調整値の設定を行い、設定した画質調整値に関連付けてユーザ情報を登録する手段である。具体的には、画質設定部１２０は、設定画面表示指示を指示取得部１１０から取得すると、画質調整部２２に、画質設定画面を表示するように通知する。また、画質設定部１２０は、取得した画質設定指示に従って画質調整値を設定する。画質設定部１２０は、設定した画質調整値をジャンル情報に関連付け、対応情報として記録部２１に記録する。
【００３９】
また、画質設定部１２０は、指示取得部１１０から取得した、ユーザ名を登録する画面（ユーザ登録画面）を表示する指示に基づいて、ユーザ登録画面を表示させる。画質設定部１２０は、指示取得部１１０から取得したユーザ名登録指示に基づいてユーザ名を取得し、取得したユーザ名をユーザ情報として上記対応情報に関連付けて記録部２１に記録する。これにより、各ユーザは、表示装置１０にてジャンル情報に応じた画質を設定することができる。
【００４０】
ユーザ特定部１３０は、記録部２１に登録されているユーザのうち、どのユーザが表示装置１０を利用しているかを特定する手段である。具体的には、ユーザ特定部１３０は、指示取得部１１０から、記録部２１に登録されているユーザのうち、どのユーザであるかをユーザ自身に選択させる選択画面（ユーザ選択画面）を表示する旨の信号（ユーザ選択画面表示指示）を取得すると、ユーザ選択画面を表示させる。ユーザ選択画面には、例えば、記録部２１に記録されているユーザの一部又は全部が一覧になって表示される。また、ユーザ特定部１３０は、指示取得部１１０から取得したユーザ選択指示に従って、記録部２１に登録されているユーザのうち、どのユーザが表示装置１０を利用しているかを特定する。また、ユーザ特定部１３０は、特定したユーザのユーザ情報を画質調整指示部１５０に通知する。
【００４１】
ジャンル取得部１４０は、ジャンル情報を取得する手段である。なお、ジャンル情報を取得する方法としては、映像信号がデジタル放送である場合、ＥＰＧ（Electronic Program Guide）データに含まれるジャンル情報を取得する方法、また、映像信号の特徴からジャンル情報を取得する方法などが挙げられる。
【００４２】
画質調整指示部１５０は、ユーザ特定部１３０によって特定されたユーザが設定している画質調整値のうち、ジャンル取得部１４０にて取得したジャンル情報について設定されている画質調整値を基に画質を調整するように画質調整部２２に指示する手段である。具体的には、画質調整指示部１５０は、ユーザ特定部１３０から、表示装置１０を利用しているユーザのユーザ情報を取得し、ジャンル取得部１４０から、表示すべき映像信号のジャンル情報を取得する。画質調整指示部１５０は、取得したユーザ情報に関連付けられている画質調整値のうち、ジャンル取得部１４０から取得したジャンル情報に対応する画質調整値を、記録部２１の対応情報から読み出す。画質調整指示部１５０は、読み出した画質調整値を、画質調整部２２に通知する。その結果、表示装置１０を利用しているユーザの好みに合った画質で映像を表示することができる。
【００４３】
〔制御部の動作〕
本実施形態に係る表示装置１０が備える主制御部１００の、画質及びユーザの設定に関する動作について、図２から図１０を用いて以下に説明する。図２は、本実施形態に係る表示装置１０が備える主制御部１００の、画質及びユーザの設定に関する処理の流れを示すフローチャートである。
【００４４】
（画質／ユーザ設定処理）
図２に示すように、画質調整値の設定を行うメニュー画面を表示するように通知を受けると、画質設定部１２０は、表示部２３にかんたん設定を行うか否かを選択する選択画面を表示する（ステップＳ１）。かんたん設定を行うことが選択された場合（ステップＳ１においてＹＥＳ）、ユーザによるか「かんたん設定」の操作を受け付ける（ステップＳ２）。
【００４５】
ここで、「かんたん設定」とは、複数の画質情報（かんたん設定を行うために、予めサンプル画像に適応されている画質調整設値）に基づいて画質調整をしたサンプル画像を表示部２３に表示し、複数のサンプル画像の中からユーザによって選択された１つの画像の画質情報に基づいて、画質調整値の設定を行う設定方法である。このようにサンプル画像を提示することで、ユーザは、好みの画像を直感的に選択することができる。
【００４６】
より具体的には、本実施形態では、１つのジャンル毎に３枚のサンプル画像を提示し、３種類のジャンルについて行う。３種類のジャンルとは、「フィルム」、「ビデオ」、「スポーツ」である。「フィルム」とは、フィルム由来であることを示し、２４Ｈｚで撮影されたコンテンツを３：２プルダウン処理したコンテンツのジャンルである。「ビデオ」とは６０Ｈｚの通常放送に由来するコンテンツのジャンルである。「スポーツ」とは、ＥＰＧデータにより、スポーツのジャンル情報が関連付けられているコンテンツのジャンルである。サンプル画像は、それぞれ異なるパターンで調整されている。なお、ジャンル情報としては「ビデオ」、「フィルム」、「スポーツ」の３種類に限定されるものではなく、「ニュース／報道」、「情報／ワイドショー」、「バラエティ」、「映画」等の様々なジャンルを識別できるように構成してもよい。
【００４７】
３種類のサンプル画像は、パターン１〜パターン３まで、色飽和度、シャープネス及びガンマが調整されており、このパターン１〜パターン３で処理された３枚のサンプル画像が、ジャンル毎に表示される。画質設定部１２０は、表示された３種類のサンプル画像のうちジャンル毎に１枚ずつ選択された、３枚の画像情報をそれぞれジャンル情報と関連付けて記録部２１に記録する。
【００４８】
なお、ここで説明する例において、パターン２は標準的な画質調整を行うメーカ推奨のパターンであり、パターン１はいわゆる「あっさり」な画質調整を行うパターンであり、パターン３はいわゆる「こってり」な画質調整を行うパターンである。「あっさり」であるとは、例えば、色飽和度でいえば色調が穏やかであることを意味し、シャープネスでいえば輪郭がより曖昧であり穏やかな画調であることを意味し、ガンマでいえば直線であるか又はＳ字特性がより弱いことを意味する。また、「こってり」であるとは、例えば、色飽和度でいえば色がより鮮やかであることを意味し、シャープネスでいえば輪郭がより強調されることを意味し（０が初期値であり＋の値が大きいほどシャープネスが強くなる）、ガンマで言えば、Ｓ字特性がより強いことを意味する。
【００４９】
また、以上の説明では、かんたん設定を行う際に、サンプル画像を提示する形態について説明したが、サンプル画像の代わりに、「色飽和度を、（１）あっさり、（２）普通、（３）こってりのどれにしますか」といった説明文を表示してもよい。このように、かんたん設定時には、候補の画質情報で調整した画像又は説明文を表示すればよい。
【００５０】
かんたん設定を行わないことが選択された場合（ステップＳ１においてＮＯ）、ユーザによる「プロ設定」の操作を受け付ける（ステップＳ３）。ここで、「プロ設定」とは、ユーザの好みに応じて、ユーザ自身によってかんたん設定よりもさらに細かい画質調整値の設定を行う設定方法である。つまり、画質に対してより詳しい知識を持ったユーザ向けの設定である。
【００５１】
プロ設定の対象のジャンルを選択すると、画質のパラメータを調整する画面に、輝度レベル、黒レベル、色濃さ、色合い、シャープネスを調整するための調整バーが表示され、ユーザはリモコンを介して、各パラメータを調整する指示を送る。画質設定部１２０は、設定された各パラメータの値（画質調整値）をそれぞれジャンル情報と関連付けて記録部２１に記録する。なお、本実施形態では画質を調整するパラメータとして、輝度レベル、黒レベル、色濃さ、色合い、及び、シャープネスを例に説明したが、これらに限定されるものではない。なお、本実施形態では、かんたん設定を行わない場合にプロ設定を行う構成を例に挙げて説明したが、これに限定されるものではなく、例えば、かんたん設定を行った後に、さらにプロ設定を行う構成を採用してもよい。
【００５２】
かんたん設定（ステップＳ２）を行った後、又は、プロ設定（ステップＳ３）を行った後、ユーザ登録の操作を受け付ける（ステップＳ４）。図３に、本実施形態におけるユーザ登録画面の一例を示す。図３に示すように、画質設定部１２０は、リモコン３０の操作による、ユーザ名の入力を受け付ける。ユーザ名は、例えば、お父さん、お母さん、子供１、子供２などが挙げられるが、これに限定されるものではない。画質設定部１２０は、入力されたユーザ名を、ステップＳ２、及びステップＳ３において記録されたジャンル毎の画質調整値と関連づけて記録部２１に記録する。なお、画質設定部１２０がユーザ名の入力を受け付ける構成について示したが、これに限定されるものではなく、予め設定されているユーザ名を選択する構成としてもよい。
【００５３】
図４に、かんたん設定によってユーザ毎に設定された画像情報の一例の図を示す。図４に示すように、記録部２１には、ステップＳ４で設定されたユーザが記録されており、ユーザそれぞれに関連付けられてステップＳ２で設定された３種類のジャンルのそれぞれに対する３枚のサンプル画像のうち１枚が記録されている。
【００５４】
また、図５に、プロ設定によって、ユーザ毎に設定された画質調整値の一例の図を示す。図５に示すように、記録部２１には、ステップＳ４で設定されたユーザが記録されており、ユーザそれぞれに関連付けられてステップＳ３で設定された３種類のジャンルのそれぞれに対する画質調整値が記録されている。
【００５５】
（ユーザ特定処理）
本実施形態に係る表示装置１０が備える主制御部１００の、ユーザ特定の処理に関する動作について、図６を用いて以下に説明する。図６は、本実施形態に係る表示装置１０が備える主制御部１００の、ユーザ特定に関する処理の流れを示すフローチャートである。
【００５６】
図６に示すように、ユーザ選択画面表示指示を取得すると、ユーザ特定部１３０は、表示部２３に、ユーザ選択画面を表示する（ステップＳ１１）。ユーザ選択画面には、例えば、画質調整値を設定しているユーザのユーザ名を一覧にして表示してもよいし、図３に示すような画面を表示してもよい。なお、ユーザ設定画面に表示される内容は、これに限定されるものではない。
【００５７】
ユーザ選択画面を表示すると、ユーザ特定部１３０は、表示されたユーザ名の中から、表示装置１０を利用しているユーザのユーザ名を選択したユーザ選択信号を取得する（ステップＳ１２）。
【００５８】
ユーザ選択信号を取得すると、画質調整指示部１５０は、ユーザ特定部１３０から選択されたユーザのユーザ名を取得し、取得したユーザ名に関連付けて記録されている画質調整値を記録部２１から読み出す。画質調整指示部１５０は、読み出した画質調整値のうち、ジャンル取得部１４０から取得したジャンル情報に対して設定されている画質調整値に基づいて、表示装置１０に入力される映像信号を調整するように画質調整部２２に通知する（ステップＳ１３）。
【００５９】
（複数ユーザが視聴する場合）
番組を視るユーザが一人の場合を例に挙げて説明したが、複数のユーザが同時に番組を視る場合も想定される。例えば、同時に番組を視るユーザが、お父さん、お母さん、及び、子供１である場合について、図７〜図１０を参照して以下に説明する。
【００６０】
図７は、かんたん設定において、各ユーザがジャンル毎に選択したサンプル画像の画像情報を平均した値の一例を示す図である。図７の（ａ）は、かんたん設定において、各ユーザがジャンル毎に選択したサンプル画像に設定された重みを示す図であり、図７の（ｂ）は、各ユーザがジャンル毎に選択した画像の重みを平均した平均値を示す図であり、図７の（ｃ）は、平均値が整数にならなかった場合の画質調整値の設定を示す図である。
【００６１】
複数のユーザが番組を視ている場合、複数のユーザがそれぞれ設定した画質調整値を平均することによって、各ジャンルの画質調整値を決定する。図７の（ａ）に示すように、各ユーザがかんたん設定にて選択した画像には、それぞれ重みが設定されている。例えば、画像１には１．０、画像２には２．０、画像３には３．０の重みが設定されている。また、お父さんは、スポーツの画質調整値を設定するサンプル画像のうち画像３を、ビデオでは画像１を、フィルムでは画像１を選択している。お母さんは、スポーツでは画像３、ビデオでは画像２、フィルムでは画像３を選択しており、子供１は、スポーツでは画像３、ビデオでは画像２、フィルムでは画像２を選択している。
【００６２】
図７の（ｂ）に示すように、複数のユーザが同時に番組を視る場合には、かんたん設定にて各ユーザが選択した画像の重みを、ジャンル毎に平均して、画質調整値を決定する。３種類のジャンルのうちスポーツに関するサンプル画像は、３人のユーザによって画像３が選択されているため、画像の重みを平均した値は３．０になる。すなわち、お父さん、お母さん、子供１が、ジャンル情報がスポーツである番組を同時に視る場合には、画像３の画質情報に基づいて画質調整が行われる。
【００６３】
また、ジャンル情報がフィルムであるサンプル画像は、お父さんによって画像１、お母さんによって画像２、子供１によって画像２が選択されているため、画像の重みを平均した値は２．０になる。すなわち、お父さん、お母さん、子供１が、ジャンル情報がフィルムである番組を同時に視る場合には、画像２の画質情報に基づいて画質調整が行われる。
【００６４】
また、ジャンル情報がビデオであるサンプル画像は、お父さんによって画像１、お母さんによって画像３、子供１によって画像２が選択されているため、画像の重みを平均した値は約１．６になる。重みが１．６に設定されているサンプル画像は存在しないため、図７の（ｃ）に示すように、お父さん、お母さん、子供１が、ジャンル情報がビデオである番組を同時に視る場合には、画像１の画質情報と画像２の画質情報との設定値の間で、画像１の画質情報から約６０パーセント、画像２の画質情報に近づけた値に基づいて画質調整値が設定される。
【００６５】
なお、複数のユーザが番組を視ている場合、複数のユーザがそれぞれ設定した画質調整値を平均することによって、各ジャンルの画質調整値を決定したが、これに限定されるものではなく、複数のユーザが設定した画質調整値のうち、最も多く設定されている画質調整値を各ジャンルの画質調整値としてもよい。
【００６６】
図８は、かんたん設定の一例において、各ユーザがジャンル毎に選択したサンプル画像のうち、最も多く選択されているサンプル画像を選択した図である。図８の（ａ）は、かんたん設定において、各ユーザがジャンル毎に選択したサンプル画像を示す図であり、図８の（ｂ）は、最も多く設定されているサンプル画像を選択した図である。
【００６７】
図８の（ａ）に示すように、お父さんは、スポーツの画質調整値を設定するサンプル画像のうち画像３を、ビデオでは画像１を、フィルムでは画像１を選択している。また、お母さんは、スポーツでは画像３、ビデオでは画像２、フィルムでは画像３を選択し、子供１は、スポーツでは画像３、ビデオでは画像２、フィルムでは画像２を選択している。
【００６８】
図８の（ｂ）に示すように、複数のユーザが同時に番組を視る場合には、かんたん設定にて各ユーザが選択した画像のうち、最も多く選択された画像を、ジャンル毎の画像として、画質調整値を決定する。３種類のジャンルのうちスポーツに関するサンプル画像は、３人のユーザによって画像３が選択されているため、最も多く選択されている画像は画像３になる。すなわち、お父さん、お母さん、子供１が、ジャンル情報がスポーツである番組を同時に視る場合には、画像３の画質情報に基づいて画質調整が行われる。
【００６９】
また、ジャンル情報がフィルムであるサンプル画像は、お父さんによって画像１、お母さんによって画像２、子供１によって画像２が選択されているため、最も多く選択されている画像は画像２になる。すなわち、お父さん、お母さん、子供１が、ジャンル情報がフィルムである番組を同時に視る場合には、画像２の画質情報に基づいて画質調整が行われる。
【００７０】
また、ジャンル情報がビデオであるサンプル画像は、お父さんによって画像１、お母さんによって画像３、子供１によって画像２が選択されているため、どの画像も等しい回数だけ選択されている。この場合、メーカ推奨画像の画像２が、同時に番組を視ているユーザが選択した画像の中で最も多く選択されている画像として選択されることになる。なお、どの画像も等しく選択されている場合、メーカ推奨の画像を選択する構成を示したが、これに限定されるものではなく、画像毎に設定された重みに基づき、重みの大きい画像を選択する構成を採用してもよい。
【００７１】
また、図９は、プロ設定において、各ユーザがジャンル毎に設定した画質調整値のうち、ジャンル情報がスポーツである場合の画質調整値を平均した値の一例を示す図である。図９の（ａ）は、プロ設定において、各ユーザがスポーツに設定した画質調整値を示す図であり、図９の（ｂ）は、各ユーザがジャンル毎に設定した画質調整値を平均した平均値を示す図である。
【００７２】
図９の（ａ）に示すように、各ユーザによって、ジャンル情報がスポーツであるジャンル情報に対して画質調整値が設定されている。例えば、お父さんが設定した画質調整値は、輝度レベルが＋３３、黒レベルが＋１、色濃さが＋１３、色合いが０、シャープネスが＋４であり、お母さんが設定した画質調整値は、輝度レベルが＋２９、黒レベルが０、色濃さが＋８、色合いが０、シャープネスが＋２であり、子供１が設定した画質調整値は、輝度レベルが＋３０、黒レベルが０、色濃さが＋１０、色合いが０、シャープネスが＋４である。
【００７３】
図９の（ｂ）に示すように、複数のユーザが同時に番組を視る場合には、プロ設定にて各ユーザが設定した画質調整値をジャンル毎に平均することによって、画質調整値を決定する。例えば、輝度レベルの平均値は、お父さんによって＋３３、お母さんによって＋２９、子供１によって＋３０に設定されているため、＋３１になる。黒レベルの平均値は、お父さんによって＋１、お母さんによって０、子供１によって０に設定されているため、０になる。色濃さの平均値は、お父さんによって＋１３、お母さんによって＋８、子供１によって＋１０に設定されているため、＋１０になる。色合いの平均値は、お父さん、お母さん、子供１共に０に設定されているため、０になる。シャープネスの平均値は、お父さんによって＋４、お母さんによって＋２、子供１によって＋４に設定されているため、＋３になる。なお、平均値が整数にならなかった場合、小数点以下を四捨五入することで画質調整値を設定したが、これに限定されるものではなく、例えば、小数点以下を切り捨てることで画質調整値を設定してもよい。
【００７４】
なお、複数のユーザが番組を視ている場合、複数のユーザがそれぞれプロ設定にて設定した画質調整値を平均することによって、各ジャンルの画質調整値を決定したが、これに限定されるものではなく、複数のユーザが設定した画質調整値のうち、最も多く設定されている画質調整値を各ジャンルの画質調整値としてもよい。
【００７５】
図１０は、プロ設定において、各ユーザがスポーツに設定した画質調整値のうち、最も多く設定されている設定値の一例を示す図である。図１０の（ａ）は、プロ設定において、各ユーザがスポーツに設定した画質調整値を示す図であり、図１０の（ｂ）は、各ユーザがジャンル毎に設定した画質調整値のうち、最も多く設定されている設定値を示す図である。
【００７６】
図１０に示すように、複数のユーザが同時に番組を視る場合には、プロ設定にて各ユーザが設定した画質調整値を、最も多く設定されている設定値によって画質調整値を決定する。図１０の（ａ）に示すように、メーカ推奨の画質調整値は、例えば、輝度レベルが＋３０、黒レベルが０、色濃さが＋８、色合いが０、シャープネスが＋４に設定されている。
【００７７】
図１０の（ｂ）の輝度レベル、及び、色濃さに示すように、各ユーザの設定値がそれぞれ違う場合、メーカ推奨値が採用され、輝度レベルは＋３０、色濃さは＋８に設定される。黒レベルは、お母さん及び子供１が０に設定しているため、０に設定される。色合いは、全てのユーザが０に設定しているため、０に設定される。シャープネスは、お父さん及び子供１が＋４に設定しているため、＋４に設定される。
【００７８】
なお、本実施形態では、複数のユーザが同時に番組を視ている場合、複数のユーザがそれぞれ設定した画質調整値を平均する構成、及び、複数のユーザによって最も多く設定されている画質調整値を各ジャンルの画質調整値として採用する構成について示したが、これに限定されるものではない。例えば、優先度をユーザ情報として、ユーザ名と関連付けて記録部２１に記録し、同時に番組を視ているユーザのうち、最も優先度の高いユーザ情報が関連づけられているユーザの画質調整値を基に画質調整を行う構成としてもよい。
【００７９】
なお、同時に番組を視るユーザが複数居る場合に複数のユーザ全員を特定する方法としては、図６に示すユーザ特定の処理をユーザ全員について行えばよい。
【００８０】
＜実施形態２＞
本発明の他の実施形態について、図１１及び図１２を用いて以下に説明する。なお、説明の便宜上、実施形態１に係る構成要素と同様の機能を有する構成要素には同一の番号を付し、その説明を省略する。本実施形態では、主に、実施形態１との相違点について説明する。
【００８１】
〔表示装置の構成〕
まず、本実施形態に係る表示装置１１、及び、表示装置１１が備える主制御部１０１の構成について、図１１を参照して以下に説明する。図１１は、本実施形態に係る表示装置１１が備える主制御部１０１の構成を示す図である。
【００８２】
図１１に示すように、表示装置１１は、リモコン受光部２０、記録部２１、画質調整部２２、表示部２３、カメラ２５、及び、主制御部１０１を備えている。また、主制御部１０１は、画質設定部１２１、ユーザ特定部１３１、ジャンル取得部１４０、画質調整指示部１５０、及び、顔抽出部１６１（特徴取得手段）を備えている。また、表示装置１１は、リモートコントローラ（リモコン）３０からの信号を取得可能に構成されている。
【００８３】
カメラ２５は、表示装置１１に設けられており、表示装置１１を視ている人物を特定するために、表示装置１１の正面を撮影するものである。カメラ２５は、撮影画像情報を主制御部１０１の顔抽出部１６１に通知する。なお、カメラ２５には、例えば、ＣＣＤ（Charge Coupled Device）カメラを用いればよいが、これに限定されるものではない。
【００８４】
顔抽出部１６１は、カメラ２５から撮影画像情報を受信し、受信した撮影画像情報から、顔の特徴点を抽出するものである。顔抽出部１６１は、抽出した顔の特徴点の情報を、ユーザ顔情報として、画質設定部１２１およびユーザ特定部１３１に通知する。なお、顔の特徴点を抽出する方法は公知であるので、その説明を省略する。
【００８５】
画質設定部１２１は、映像のジャンルに応じて、画質調整値の設定を行い、設定した画質調整値に関連付けてユーザ情報を登録する手段である。具体的には、画質設定部１２１は、設定画面表示指示を指示取得部１１０から取得すると、画質調整部２２に、画質設定画面を表示するように通知する。また、画質設定部１２１は、取得した画質設定指示に従って画質調整値を設定する。画質設定部１２１は、設定した画質調整値をジャンル情報に関連付け、対応情報として記録部２１に記録する。
【００８６】
また、画質設定部１２１は、指示取得部１１０から取得した、ユーザ名を登録する画面（ユーザ登録画面）を表示する指示に基づいて、ユーザ登録画面を表示させる。画質設定部１２１は、指示取得部１１０から取得したユーザ名登録指示に基づいてユーザ名を取得する。また、画質設定部１２１は、顔抽出部１６１からのユーザ顔情報を取得する。取得したユーザ名、及び、ユーザ顔情報をユーザ情報として上記対応情報に関連付けて記録部２１に記録する。
【００８７】
ユーザ特定部１３１は、記録部２１に登録されているユーザのうち、どのユーザが表示装置１１を利用しているかを特定する手段である。具体的には、ユーザ特定部１３１は、顔抽出部１６１からのユーザ顔情報を取得し、取得したユーザ顔情報と、記録部２１に登録されているユーザ顔情報とを照合する。なお、この照合方法は公知であるので、その説明を省略する。照合した結果、記録部２１に登録されているユーザ顔情報の何れかと、顔抽出部１６１から取得したユーザ顔情報との一致率が予め定められた値よりも高い（一致率が高い）場合、一致率が高いユーザ顔情報を含むユーザ情報を記録部２１から読み出す。ユーザ特定部１３１は、読み出したユーザ情報を画質調整指示部１５０に通知する。
【００８８】
なお、ユーザ特定部１３１は、読み出した画質調整値を、画質調整指示部１５０に通知すると共に、一致したユーザ顔情報に関連付けられているユーザ名を記録部２１から読み出し、読み出したユーザ名を表示部２３に表示するようにしてもよい。
【００８９】
〔制御部の動作〕
本実施形態に係る表示装置１１が備える主制御部１０１の動作について以下に説明する。
【００９０】
（画質／ユーザ設定処理）
まず、本実施形態に係る表示装置１１が備える主制御部１０１の、画質及びユーザの設定処理に関する動作について説明する。
【００９１】
画質設定部１２１は、かんたん設定又はプロ設定を受け付けた後、ユーザ登録の操作を受け付ける。さらに、画質設定部１２１は、顔抽出部１６１から通知されるユーザ顔情報を取得する。画質設定部１２１は、入力されたユーザ名及びユーザ顔情報をユーザ情報として、かんたん設定又はプロ設定において設定されたジャンル毎の画質調整値と関連づけて記録部２１に記録する。
【００９２】
（ユーザ特定処理）
本実施形態に係る表示装置１１が備える主制御部１０１の、ユーザ特定の処理に関する動作について、図１２を用いて以下に説明する。図１２は、本実施形態に係る表示装置１１が備える主制御部１０１の、ユーザの特定に関する処理の流れを示すフローチャートである。
【００９３】
図１２に示すように、表示装置１１が番組を表示することが可能である状態（ＯＮ状態）になった場合、又は、表示装置１１がＯＮ状態であるときにカメラ２５にて、表示装置１１を利用しているユーザが特定された場合、ユーザ特定部１３１は、顔抽出部１６１から供給されるユーザ顔情報を基に、すでに登録されている全てのユーザ情報の中から、一致するユーザ顔情報を含むユーザ情報を特定する（ステップＳ２１）。
【００９４】
表示装置１１を利用しているユーザを特定すると、ユーザ特定部１３１は、表示部２３に、特定されたユーザが設定している画質調整値を反映するか否かを問い合わせるダイアログを表示する。表示されるダイアログには、例えば「お好み画質設定のユーザ設定を反映しますか」というメッセージと共に、「はい」「いいえ」という選択肢が表示される。ユーザ特定部１３１は、リモコン３０の操作によって「はい」「いいえ」の選択肢を選択することによるユーザからの指示に従って、特定されたユーザが設定している画質調整を反映するか否かを決定する（ステップＳ２２）。なお、ダイアログに表示されるメッセージ及び選択肢は、これに限定されるものではない。画質調整値を反映しない旨の指示を取得した場合（ステップＳ２２においてＮＯ）、この動作を終了する。
【００９５】
特定されたユーザが設定している画質調整値を反映する旨の指示を取得した場合（ステップＳ２２においてＹＥＳ）、画質調整指示部１５０は、特定されたユーザの画質調整値を記録部２１から読み出し、読み出した画質調整値に基づいて画質を調整する旨を画質調整部２２に通知する。画質調整部２２は、通知された画質調整値のうち、ジャンル取得部１４０から取得したジャンル情報に対して設定されている画質調整値に基づいて、表示装置１１に入力される映像信号を調整し、表示部２３に表示する（ステップＳ２３）。
【００９６】
この構成によって、ユーザが自ら、記録部２１に記録されているユーザのうちどのユーザが表示装置１１を利用しているのかを選択する手間を省くことができ、かつ、ユーザの好みの画質で映像信号を表示することができる。
【００９７】
なお、表示装置１１を利用しているユーザが複数の場合には、ステップＳ２１によって全てのユーザを特定した後に、ステップＳ２２にて画質調整値を反映するか否かを問い合わせるダイアログを表示すればよい。番組を視ているユーザが複数の場合における画質調整値の設定の動作は、実施形態１に示した動作と同様である。
【００９８】
なお、本実施形態では、ユーザ名及びユーザ顔情報をユーザ情報として、画質調整値に関連付けて記録する構成を示したが、これに限定されるものではなく、例えば、ユーザ名を記録することなく、ユーザ顔情報と画質調整値を関連付けて記録する構成を採用してもよい。
【００９９】
＜実施形態３＞
本発明の他の実施形態について、図１３から図１５を用いて以下に説明する。なお、説明の便宜上、実施形態１に係る構成要素と同様の機能を有する構成要素には同一の番号を付し、その説明を省略する。本実施形態では、主に、実施形態１との相違点について説明する。
【０１００】
〔表示装置の構成〕
まず、本実施形態に係る表示装置１２、及び、表示装置１２が備える主制御部１０２の構成について、図１３を参照して以下に説明する。図１３は、本実施形態に係る表示装置１２が備える主制御部１０２の構成を示す図である。
【０１０１】
図１３に示すように、表示装置１２は、リモコン受光部２０、記録部２１、画質調整部２２、表示部２３、及び、主制御部１０２を備えている。また、主制御部１０２は、指示取得部１１０（特徴取得手段）、画質設定部１２２、ユーザ特定部１３２、ジャンル取得部１４０、及び、画質調整指示部１５０を備えている。また、表示装置１２は、リモートコントローラ（リモコン）３２からの信号を取得可能に構成されている。
【０１０２】
リモコン３２は、ユーザによる操作信号をリモコン受光部２０に赤外線などの光で通知する。また、リモコン３２には、指紋センサ３２１が備えられている。リモコン３２は、備えられている指紋センサ３２１によって、ユーザの指紋を読み取る。リモコン３２は、指紋センサ３２１によって読み取ったユーザの指紋データ（ユーザ指紋情報）をリモコン受光部２０に赤外線などの光で供給する。リモコン受光部２０に供給されたユーザ指紋データは、指示取得部１１０を介して、画質設定部１２２およびユーザ特定部１３２に供給される。
【０１０３】
画質設定部１２２は、映像のジャンルに応じて、画質調整値の設定を行い、設定した画質調整値に関連付けてユーザ情報を登録する手段である。具体的には、画質設定部１２２は、設定画面表示指示を指示取得部１１０から取得すると、画質調整部２２に、画質設定画面を表示するように通知する。また、画質設定部１２２は、取得した画質設定指示に従って画質調整値を設定する。画質設定部１２２は、設定した画質調整値をジャンル情報に関連付け、対応情報として記録部２１に記録する。
【０１０４】
また、画質設定部１２２は、指示取得部１１０から取得した、ユーザ名を登録する画面（ユーザ登録画面）を表示する指示に基づいて、ユーザ登録画面を表示させる。画質設定部１２２は、指示取得部１１０から取得したユーザ名登録指示に基づいてユーザ名を取得する。さらに、画質設定部１２２は、指示取得部１１０からのユーザ指紋情報を取得する。取得したユーザ名、及び、ユーザ指紋情報をユーザ情報として上記対応情報に関連付けて記録部２１に記録する。
【０１０５】
ユーザ特定部１３２は、記録部２１に登録されているユーザのうち、どのユーザが表示装置１２を利用しているかを特定する手段である。具体的には、ユーザ特定部１３２は、指示取得部１１０からのユーザ指紋情報を取得すると、取得したユーザ指紋情報と記録部２１に登録されているユーザ指紋情報とを照合する。照合した結果、記録部２１に登録されているユーザ指紋情報の何れかと指紋センサ３２１から取得したユーザ指紋情報との一致率が予め定められた値よりも高い場合、一致率が高いユーザ指紋情報を含むユーザ情報を記録部２１から読み出す。ユーザ特定部１３２は、読み出したユーザ情報を画質調整指示部１５０に通知する。
【０１０６】
なお、本実施形態では、指紋センサ３２１がリモコン３２に設けられている場合について説明したが、これに限定されるものではなく、例えば、指紋センサが表示装置１２に備えられている構成を採用してもよく、また、指紋センサをリモコン３２や表示装置１２とは異なる機器として新たに設ける構成を採用してもよい。
【０１０７】
〔制御部の動作〕
本実施形態に係る表示装置１２が備える主制御部１０２の動作について以下に説明する。まず、本実施形態に係る表示装置１２が備える主制御部１０２の、画質及びユーザの設定処理に関する動作について説明する。
【０１０８】
画質設定部１２２は、かんたん設定又はプロ設定を受け付けた後、ユーザ登録の操作を受け付ける。さらに、画質設定部１２２は、指紋センサ３２１からのユーザ指紋情報の通知を取得する。画質設定部１２２は、入力されたユーザ名及びユーザ指紋情報を、かんたん設定、又はプロ設定において設定されたジャンル毎の画質調整値と関連づけて記録部２１に記録する。
【０１０９】
次に、本実施形態に係る表示装置１２が備える主制御部１０２の、ユーザ特定の処理に関する動作について、図１４を用いて説明する。図１４は、本実施形態に係る表示装置１２が備える主制御部１０２の、ユーザ特定に関する処理の流れを示すフローチャートである。
【０１１０】
図１４に示すように、ユーザ選択画面表示指示を取得すると、ユーザ特定部１３２は、表示部２３に、ユーザ選択画面を表示し、さらに、ユーザの指紋を指紋センサ３２１にて読み取らせる旨のダイアログを表示する（ステップＳ３１）。表示されるダイアログには、例えば、「指紋センサに指を置いてください」という内容のメッセージが表示される。なお、表示されるダイアログのメッセージは、これに限定されるものではない。
【０１１１】
ダイアログ表示後、ユーザ特定部は、指紋センサ３２１からのユーザ指紋情報を基に、すでに登録されているユーザの中から一致率の高いユーザ指紋情報を特定する（ステップＳ３２）。ユーザが特定されると、ユーザ特定部は、ユーザが全員特定されたか否かを判定する（ステップＳ３３）。判定方法としては、例えば、ユーザが全員選択された場合に、リモコン３０からの、ユーザ全員が特定された旨の通知を取得すればよいが、これに限定されるものではない。全員が特定されていない場合（ステップＳ３３においてＮＯ）、ユーザ特定部１３２は、特定されていないユーザを特定する。複数のユーザが同時に番組を視る場合、全員が特定される（ステップＳ３３においてＹＥＳ）まで、ステップＳ３２の動作が繰り返される。
【０１１２】
全員が特定された場合（ステップＳ３３においてＹＥＳ）、画質調整指示部１５０は、特定されたユーザ指紋情報を含むユーザ情報に関連付けられている画質調整値を記録部２１から読み出し、読み出した画質調整値を画質調整部２２に通知する。画質調整部２２は、通知された画質調整値に基づいて映像信号を調整し、表示部２３に表示する（ステップＳ３４）。
【０１１３】
なお、表示装置１２を利用しているユーザが複数の場合における画質調整値の設定の動作は、実施形態１に示した動作と同様である。
【０１１４】
なお、本実施形態では、指紋によってユーザの特定を行う構成を示したが、これに限定されるものではなく、例えば、体脂肪率センサを用いて、体脂肪率によってユーザの特定を行う構成を採用してもよい。
【０１１５】
なお、本実施形態では、ユーザ名およびユーザ指紋情報をユーザ情報として、画質調整値に関連付けて記録する構成を示したが、これに限定されるものではなく、例えば、ユーザ名を記録することなく、ユーザ指紋情報と画質調整値を関連付けて記録する構成を採用してもよい。
【０１１６】
＜実施形態４＞
本発明の他の実施形態について、図１５から図１６を用いて以下に説明する。なお、説明の便宜上、実施形態１に係る構成要素と同様の機能を有する構成要素には同一の番号を付し、その説明を省略する。本実施形態では、主に、実施形態１との相違点について説明する。
【０１１７】
〔表示装置の構成〕
まず、本実施形態に係る表示装置１３、及び、表示装置１３が備える主制御部１０３の構成について、図１５を参照して以下に説明する。図１５は、本実施形態に係る表示装置１３が備える主制御部１０３の構成を示す図である。
【０１１８】
図１５に示すように、表示装置１３は、リモコン受光部２０、記録部２１、画質調整部２２、表示部２３、外部入出力部２６（通信部）、及び、主制御部１０３を備えている。また、主制御部１０３は、指示取得部１１３、画質設定部１２３、ユーザ特定部１３３、ジャンル取得部１４０、画質調整指示部１５０、及び、外部設定取得部１７３（外部設定取得手段）を備えている。また、表示装置１３は、通信ネットワークを介して外部記録装置４０（外部の通信装置）に接続可能に構成されている。なお、以下では、実施形態１においてすでに説明した部分については、同じ符号を付し、説明を省略する。
【０１１９】
外部入出力部２６は、主制御部１０３からの通知に基づいて、外部記録装置４０に記録されている画質調整値を取得する。外部入出力部２６は、外部記録装置４０から取得した画質調整値を主制御部１０３に供給する。また、外部入出力部２６は、主制御部１０３から、記録部２１に記録されている画質調整値を取得する。外部入出力部２６は、外部設定取得部１７３から取得した画質調整値を外部記録装置４０に記録する。
【０１２０】
指示取得部１１３は、リモコン受光部２０から、リモコン３０の操作において行なわれるユーザからの指示を示すリモコン信号を取得する。指示取得部１１０は、取得したリモコン信号を、指示の内容に基づいて、画質設定部１２３、ユーザ特定部１３３、又は、外部設定取得部１７３のいずれかに通知する。取得したリモコン信号が画像設定及びユーザ設定に関する信号である場合、画質設定部１２０に取得したリモコン信号を通知し、取得したリモコン信号がユーザの選択に関する信号である場合、取得したリモコン信号をユーザ特定部１３０に通知する。また、取得したリモコン信号が、通信ネットワークを介して接続された外部記録装置４０に関する信号である場合、取得したリモコン信号を外部設定取得部１７３に通知する。
【０１２１】
外部設定取得部１７３は、外部記録装置４０に記録されている画質調整値を取得する手段である。また、記録部２１に記録されている画質調整値を外部記録装置４０に供給する手段である。具体的には、指示取得部１１３から、外部記録装置４０に記録されている画質調整値を取得する旨の指示を取得すると、外部設定取得部１７３は、外部入出力部２６に、外部記録装置４０に記録されている画質調整値を取得する旨を通知する。外部入出力部２６から、外部記録装置４０に記録されている画質調整値を取得すると、外部設定取得部１７３は、画質設定部１２３に取得した画質調整値を供給する。また、指示取得部１１３から、記録部２１に記録されている画質調整値を外部記録装置４０に記録する旨の指示を取得すると、外部設定取得部１７３は、記録部２１に記録されている画質調整値を読み出し、外部入出力部２６に供給する。
【０１２２】
画質設定部１２３は、映像のジャンルに応じて、画質調整値の設定を行い、設定した画質調整値に関連付けてユーザ情報を登録する手段である。具体的には、画質設定部１２３は、設定画面表示指示を指示取得部１１３から取得すると、画質調整部２２に、画質設定画面を表示するように通知する。また、画質設定部１２３は、外部記録装置４０に記録されている画質調整値を外部設定取得部１７３から取得する。また、画質設定部１２３は、ユーザ名として、外部記録装置４０から取得した画質調整値であることを示すユーザ名の設定を受け付ける。画質設定部１２３は、外部記録装置４０から取得した画質調整値、ジャンル情報、及びユーザ名を互いに関連付けて、記録部２１に記録する。なお、本実施形態では、記録するユーザ名を、外部記録装置４０から取得した画質調整値であることを示すユーザ名とする構成を示したが、これに限定されるものではなく、他の実施形態同様に、表示装置１３を利用するユーザのユーザ名とする構成を採用してもよい。
【０１２３】
ユーザ特定部１３３は、記録部２１に登録されているユーザのうち、どのユーザが表示装置１３を利用しているかを特定する手段である。具体的には、ユーザ特定部１３３は、指示取得部１１０から、ユーザ選択画面表示指示を取得すると、ユーザ選択画面を表示させる。ユーザ選択画面には、例えば、記録部２１に記録されているユーザの一部又は全部と共に、外部記録装置４０から取得した画質調整値であることを示すユーザ名が一覧になって表示される。また、ユーザ特定部１３０は、指示取得部１１０から取得したユーザ選択指示に従って、記録部２１に登録されているユーザのうち、どのユーザが表示装置１０を利用しているかを特定する。また、ユーザ特定部１３０は、特定したユーザのユーザ情報を画質調整指示部１５０に通知する。
【０１２４】
外部記録装置４０は、通信ネットワークを介して多数の表示装置と接続されており、各表示装置において設定されている画質調整値が記録されている装置である。外部記録装置４０としては、例えば、サーバを挙げることができるが、これに限定されるものではない。また、外部記録装置４０にはさらに、各表示装置において設定されている画質調整値を平均した画質調整値の平均値、及び、最も多く設定されている設定値によって決定した画質調整値が記録されている。これによって、ユーザは、通信ネットワークを介してこれらの画質調整値を取得することができ、他のユーザに人気のある画質調整値によって調整された画像を視ることができる。なお、画質調整値の平均値、及び、最も多く設定されている設定値によって決定する画質調整値の設定動作は、実施形態１の動作と同様である。
【０１２５】
〔制御部の動作〕
本実施形態に係る表示装置１３が備える主制御部１０３の、画質及びユーザの設定処理に関する動作について、以下に説明する。
【０１２６】
（画質／ユーザ設定処理）
画質設定部１２３は、指示取得部１１３から、外部記録装置４０に記録されている画質調整値を取得する旨の指示を取得すると、外部記録装置４０から画質調整値を取得し、記録部２１に記録する。画質調整値を記録した後、指示取得部１１３から、外部記録装置４０から取得した画質調整値であることを示すユーザ名を登録する指示を取得すると、画質設定部１２３は、外部記録装置４０から取得した画質調整値であることを示すユーザ名をユーザ情報として、外部記録装置４０から取得した画質調整値と関連づけて記録部２１に記録する。
【０１２７】
（画質調整値反映処理）
本実施形態に係る表示装置１３が備える主制御部１０３の、画質調整値の反映処理に関する動作について、図１６を用いて以下に説明する。図１６は、本実施形態に係る表示装置１３が備える主制御部１０３の、ユーザ特定に関する処理の流れを示すフローチャートである。
【０１２８】
ユーザ特定部１３３は、リモコン３０から、外部記録装置４０から取得した画質調整値に基づいて画質を調整する旨の指示を取得すると、記録部２１に記録されている、外部記録装置４０から取得した画質調整値を読み出す（ステップＳ４１）。記録部２１から画質調整値を読み出すと、画質調整指示部１５０は、読み出した画質調整値を画質調整部２２に通知する。画質調整部２２は、通知された画質調整値に基づいて、映像信号を調整し、表示部２３に表示する（ステップＳ４２）。
【０１２９】
この構成によって、通信ネットワークを介して様々なユーザの設定値を記録したサーバなどの外部記録装置４０から、ジャンル情報に応じて最も多く採用されている画質調整値、様々なユーザが設定している画質調整値の平均値を取得することができる。これによって、最も人気のある画質設定で表示装置１３を利用することができる。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３１】
最後に、表示装置１０〜１３の各ブロック、特に主制御部１００〜１０３は、ハードウェアロジックによって構成してもよいし、次のようにＣＰＵを用いてソフトウェアによって実現してもよい。
【０１３２】
すなわち、表示装置１０〜１３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１０〜１３の制御プログラムのプログラムコード（実行形式プログラム、中間コードプログラム、ソースプログラム）をコンピュータで読み取り可能に記録した記録媒体を、上記表示装置１０〜１３に供給し、そのコンピュータ（またはＣＰＵやＭＰＵ）が記録媒体に記録されているプログラムコードを読み出し実行することによっても、達成可能である。
【０１３３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３４】
また、表示装置１０〜１３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３５】
本発明は、テレビジョン受像機や、テレビを視聴可能とした携帯機器、例えば、携帯電話、カーナビゲーションシステム、携帯ゲーム端末などに、好適に適用することができる。
【符号の説明】
【０１３６】
１０〜１３      表示装置
２０      リモコン受光部（受付部）
２１      記録部
２２      画質調整部
２３      表示部
２５      カメラ
２６      外部入出力部（通信部）
３０・３２      リモコン
４０      外部記録装置（外部の通信装置）
１００〜１０３    主制御部
１１０・１１３    指示取得部（特徴取得手段）
１２０〜１２３    画質設定部（設定手段）
１３０〜１３３    ユーザ特定部（ユーザ特定手段）
１４０    ジャンル取得部（ジャンル取得手段）
１５０    画質調整指示部（調整指示手段）
１６１    顔抽出部（特徴取得手段）
１７３    外部設定取得部（外部設定取得手段）
３２１    指紋センサ
【図１】
2011166314.tif 000003
【図２】
2011166314.tif 000004
【図３】
2011166314.tif 000005
【図４】
2011166314.tif 000006
【図５】
2011166314.tif 000007
【図６】
2011166314.tif 000008
【図７】
2011166314.tif 000009
【図８】
2011166314.tif 000010
【図９】
2011166314.tif 000011
【図１０】
2011166314.tif 000012
【図１１】
2011166314.tif 000013
【図１２】
2011166314.tif 000014
【図１３】
2011166314.tif 000015
【図１４】
2011166314.tif 000016
【図１５】
2011166314.tif 000017
【図１６】
2011166314.tif 000018